(57)【特許請求の範囲】
【請求項１】
遊技盤に取り付けるための基板を有して、この基板の前面側に区画壁を一体に延設した取付枠体と、上記取付枠体に回転自在に軸着されると共に、球を受入可能な球受凹部、球を停留可能とする小径部、及び球を停留不能とする大径部、を有する回転体と、上記回転体を制御手段の制御下に回転駆動する駆動源と、遊技盤を流下する球を上記回転体の球受凹部へ取り込むための球入口と、上記回転体の球受凹部に取り込んだ球を検出スイッチが臨む球連絡路へ排出する入賞球口と、を備え、
大径部は区画壁の内周面に臨み、該大径部の円周上の長さを球の直径分の長さに設定し、
小径部は大径部よりも回転体の中心からの距離が短く、区画壁との間に球１個分の長さ距離よりも短い隙間を形成するように設定し、
大径部の一端から平坦部を介して縮径されることによって小径部が連なり、小径部の他端と大径部の一端との間には、外周面に向けて球１個が嵌入する大きさに開口する球受凹部を形成し、この球受凹部に嵌入した球は回転体の回転に伴って区画壁の内側に移動し、
球入口において球が回転体の大径部に接して取付枠体の内部に嵌入できない停留不能状態と、球入口において球が回転体の小径部に接して取付枠体の内部に嵌入し、球の一部を区画壁の上方に突出させている停留可能状態と、球入口において球が球受凹部に嵌入した取込可能状態の何れかの状態となして、入賞率を可変させるパチンコ機の入賞装置。
【請求項２】
制御手段によって回転体の回転方向を制御して入賞率を可変させる請求項１記載のパチンコ機の入賞装置。
【請求項３】
制御手段によって回転体の回転数を制御して入賞率を可変させる請求項１記載のパチンコ機の入賞装置。
【請求項４】
制御手段によって回転体の回転方向及び回転数を制御して入賞率を可変させる請求項１記載のパチンコ機の入賞装置。
【発明の詳細な説明】
【０００１】
【産業上の利用分野】
この発明は、パチンコ機の入賞装置に関し、特に、予め定めた特定条件の成立に関連して利用されるパチンコ機の入賞装置に関するものである。
【０００２】
【従来の技術】
遊技者に不利な第１状態と遊技者に有利な第２状態とに変換可能な変動入賞装置を備えるチンコ機において、上記変動入賞装置を変換させる特定条件の成立に関連する入賞装置が種々開発されている。例えば、特開平４−２９５３８６号公報に記載されるパチンコ機では、予め定めた遊技状態となったときに解放される電動入賞装置の下方に、特別装置作動領域を含む複数の通過領域の何れかに振分誘導する特別入賞装置を設け、上記電動入賞装置を、解放後一定時間が経過するか、又は通過領域の数以上の予め定められた規定数に達したときに閉鎖するようにして、特別装置作動領域の入賞率を高めている。また、上記パチンコ機には、一つの球受入凹部を有する回転円盤を備える始動入賞口装置が設けてある。一方、実開平１−１２６２８８号公報には、特別装置作動領域を含む複数の通過領域を有する回転部材を正逆回転させることによって、当該特別装置作動領域の入賞率が変化するように構成した入賞装置が記載されている。更に、特開平６−９１０４０号公報に記載された遊技機は、遊技状態に応じて遊技者による所謂「打ち分け」の必要がないように構成してある。
【０００３】
【発明が解決しようとする課題】
そして、特定条件成立に関連する入賞装置の入賞率は、一般に、遊技球の入り易さ、即ち当該入賞装置の入賞口の大きさないし形態に依存して決定され、入賞口を解放して大きくすることにより入賞率を高めるものである。従って、各パチンコ機における差異が少なく、遊技者に飽きられているのが現状である。また、「打ち分け」の必要がないように構成された遊技機にあっては、構成が複雑になるので、コスト増が避けられなかった。
本発明は上記に鑑み提案されたもので、入賞口の大きさないし形態を変化させることなく、入賞率を変更可能なパチンコ機の入賞装置を提供することを目的とする。
【０００４】
【課題を解決するための手段】
上記目的を達成するため本発明は、遊技盤に取り付けるための基板を有して、この基板の前面側に区画壁を一体に延設した取付枠体と、上記取付枠体に回転自在に軸着されると共に、球を受入可能な球受凹部、球を停留可能とする小径部、及び球を停留不能とする大径部、を有する回転体と、上記回転体を制御手段の制御下に回転駆動する駆動源と、遊技盤を流下する球を上記回転体の球受凹部へ取り込むための球入口と、上記回転体の球受凹部に取り込んだ球を検出スイッチが臨む球連絡路へ排出する入賞球口と、を備え、大径部は区画壁の内周面に臨み、該大径部の円周上の長さを球の直径分の長さに設定し、小径部は大径部よりも回転体の中心からの距離が短く、区画壁との間に球１個分の長さ距離よりも短い隙間を形成するように設定し、大径部の一端から平坦部を介して縮径されることによって小径部が連なり、小径部の他端と大径部の一端との間には、外周面に向けて球１個が嵌入する大きさに開口する球受凹部を形成し、この球受凹部に嵌入した球は回転体の回転に伴って区画壁の内側に移動し、球入口において球が回転体の大径部に接して取付枠体の内部に嵌入できない停留不能状態と、球入口において球が回転体の小径部に接して取付枠体の内部に嵌入し、球の一部を区画壁の上方に突出させている停留可能状態と、球入口において球が球受凹部に嵌入した取込可能状態の何れかの状態となして、入賞率を可変させるようにしたものである。
【０００５】
【作用】
球１個を受入可能な球受凹部、球を停留可能とする小径部、及び球を停留不能とする大径部、を有する回転体の回転を制御することによって、当該入賞装置に対する入賞率を形態の変化を伴うことなく可変することができる。
【０００６】
【実施例】
以下、本発明を図面の実施例について説明すると、図１は本発明に係る入賞装置１を配設したパチンコ機の遊技盤２の正面図である。この遊技盤２の表面には、ガイドレール３で囲まれた遊技部４を形成し、該遊技部４のほゞ中央にセンター役物５を配設すると共に、所定の位置に種々の入賞装置或は入賞具６…及び風車７…等を配設し、更に適宜位置には障害釘８が設けてある。
【０００７】
即ち、図示の遊技盤２では上記センター役物５に向かって左側に、本発明に係る入賞装置１を配設し、該入賞装置１の下方に、遊技者に不利な第１状態と遊技者に有利な第２状態とに変換可能な変動入賞装置９を配設する。また、センター役物５の下方には、特定入賞口１０を備える普通電動役物１１を配設し、該普通電動役物１１の左右にポケット状の入賞具６ｃ，６ｅを配設する。そして、向かって左側の入賞具６ｅを後述する始動入賞口に設定し、右側の入賞具６ｃを右落し入賞口に設定する。
【０００８】
また、上記センター役物５と普通電動役物１１との間には、センター下入賞口となる入賞具６ｄを配設する。更に、上記変動入賞装置９とほゞ対称な位置には、右袖入賞口となる入賞具６ａを配設し、該右袖入賞口６ａのほゞ上方に右肩入賞口となる入賞具６ｂを配設する。そして、遊技部４の最下位置には、何れの入賞口にも入賞しなかった球が流入するアウト口１２を設ける。
【０００９】
図２ないし図６に示す実施例の入賞装置１は、遊技盤２に取り付ける取付枠体２１と、該取付枠体２１に回転自在に装着する回転体２２と、該回転体２２の前面側に装着する前カバー２３と、上記取付枠体２１の背面側に装着する裏カバー２４等から成り、上記回転体２２の駆動源等を備えている。
【００１０】
取付枠体２１は、遊技盤２に取り付けるための基板２５を有し、該基板２５の前面側にほゞ円形の区画壁２６が一体に延設してある。この区画壁２６は、上半部分に位置する上側区画壁２６ａの幅（延出量）が狭く、下半部分に位置する下側区画壁２６ｂの幅（延出量）は後述する回転体２２の幅よりも若干広く延出している。
【００１１】
上記上側区画壁２６ａは、中央部分（頂点）に形成した球入口２７によって左右に分離されている。また、左右の上側区画壁２６ａの前縁は、外向きに傾斜する面取２８ａが施してある。尚、上記球入口２７の間隔は、球１個が通過可能なように、球の直径約１１ｍｍに対して約１２ｍｍ程度に形成してある。
【００１２】
一方、下側区画壁２６ｂは、上記上側区画壁２６ａの下方に幅広に連設してあり、上記上側区画壁２６ａと一体となって、後述する回転体２２の周囲を囲むようにほゞ円形に形成してある。また、下側区画壁２６ｂは、後述する球受樋２９を形成するように上記円形部の下方が突出すると共に、球を後方へ誘導するための誘導リブ２９ａが一体に形成してある。また、下側区画壁２６ｂの上縁部分は、後述する前カバー２３との連結部２６ｃが例えば鈎型に形成してある。
【００１３】
上記のような区画壁２６を前面側に延設した基板２５の背面側には、後述する裏カバー２４を取り付けると共に、上記球受樋２９に連通して球誘導路を形成するための背面枠３０が一体に延設してある。この背面枠３０は、ほゞ円形に形成した円形部３０ａと、この円形部３０ａの下方に角樋状に連設した樋部３０ｂとから成る。また、背面枠３０には後述する裏カバー２４を取り付けるための取付ボス３０ｃが一体に形成してある。
【００１４】
そして、取付枠体２１の基板２５には、後述する回転体２２の回転軸２２ａを挿通する軸孔２５ａを開設すると共に、球受樋２９に受け入れた球を基板２５の後方へ通過させるための入賞球口２５ｂを開設する。
【００１５】
上記のような取付枠体２１の前面側に止着する前カバー２３は、上記区画壁２６及び球受樋２９の前縁に当接する板状の部材であって、背面側に上記下側区画壁２６ｂの連結部２６ｃに対応する連結部２３ａが突設してある。従って、この前カバー２３を取付枠体２１に止着するには、上記連結部２６ｃ，２３ａを互いに嵌合させると共に、図示していないビスを球受樋２９の近傍に設けた取付部に止着すればよい。尚、この前カバー２３は、区画壁２６内で回転する後述の回転体２２の様子を視認可能なように透視部材によって形成するとよい。
【００１６】
また、前カバー２３の裏面側には、前記上側区画壁２６ａに対応するように、ほゞ半円形の隆起縁２３ｂを形成し、外縁面には面取２８ｂを施す。そして、上記隆起縁２３ｂと前記した上側区画壁２６ａとの間隔を、球の直径よりも若干狭く設定することにより、前カバー２３と上側区画壁２６ａとの間に、球が通過できない開口部３１、換言すると切欠溝を形成するのである。
【００１７】
上記のような区画壁２６と前カバー２３との間で回転自在な回転体２２は、大径部３２と、小径部３３と、球１個を受け入れることのできる球受凹部３４とを備えている。大径部３２は、文字どおり中心からの距離が最も大きい部分であって、上記区画壁２６の内周面に臨む。この大径部３２の円周上の長さは、図示の実施例によれば、球１個が載るように、ほゞ球の直径分の長さに設定してある。
【００１８】
上記大径部３２の一端からは、平坦部３５を介して縮径させることによって小径部３３が連なっている。この小径部３３は、上記大径部３２よりも中心からの距離が短く、区画壁２６との間に球１個分の長さよりも短い隙間を形成するように設定してある。従って、区画壁２６の内周面と小径部３３の外周面との間に球が入り込むことはできない。また、上記小径部３３は、回転体２２の外周面のほゞ半周を占めている。
【００１９】
上記小径部３３の他端と前記大径部３２の一端との間には、球受凹部３４を形成する。この球受凹部３４は、外周面に向けて開口しており、球１個が嵌入する大きさに形成してある。従って、この球受凹部３４に嵌入した球は、回転体２２の回転に伴って、区画壁２６の内側を移動することができる。
【００２０】
上記のような構成の回転体２２は、後述する駆動源としてのモータ３６に連結した回転軸２２ａを備えている。この回転軸２２ａは、前記基板２５と裏カバー２４とによって回転自在に軸支されている。
【００２１】
また、回転体２２の外周面には、前縁側が若干縮径する傾斜が設けてあり、外周面に載る球が前カバー２３側に転がるように付勢している。従って、前記開口部３１（切欠溝）に入り込み易く、球入口２７の縁に係止しないようになっている。
【００２２】
裏カバー２４は、基板２５の裏面側に形成された背面枠３０の取付ボス３０ｃに止着される。また、裏カバー２４は、前記した球受樋２９の上方に臨み、この球受樋２９の球を下方に向けて排出させる。更に、この裏カバー２４は、前記したように回転軸２２ａの軸受部を形成すると共に、後述する駆動源としてのモータ３６のブラケットを形成している。
【００２３】
上記裏カバー２４の背面側には、駆動源としてのモータ３６を取り付ける。このモータ３６は正逆回転が可能な例えばステッピングモータである。
【００２４】
次に、図７を参照して上記のような構成の入賞装置１の動作を説明する。この実施例における回転体２２は、モータ３６の制御によって正逆方向に回転可能である。先ず、図７の（Ａ）に示すように、大径部３２が球入口２７に臨む状態のときに、この球入口２７に向けて流下してきた球は、大径部３２によって球入口２７が閉止されているので、前記切欠溝により球入口２７には停留されることなく回転体２２の左右に落下する。
【００２５】
一方、（Ｂ）に示すように、小径部３３が球入口２７に臨む状態のときに、球入口２７に向けて流下してきた球は、最初の１球が球入口２７を通過して区画壁２６内に嵌入し、小径部３３に支えらて球入口２７内に留まり、球の一部を区画壁２６の上方に突出させている。そして、この状態のときに、続いて流下してきた球は、この球入口２７内に停留された球に衝突して左右に落下する。
【００２６】
そして、上記のようにして停留された球は、回転体２２の回転方向によって行き先が異る。即ち、（Ｃ）ないし（Ｅ）に示すように、回転体２２が矢視Ｐ方向に正（右）回転する場合は、小径部３３に支えられた球は、当該小径部３３の回転方向の後方に連なる球受凹部３４に嵌入し、回転体２２の回転によって球受樋２９の上方に運ばれる。尚、球受凹部３４に嵌入した球は、小径部３３と区画壁２６の内周面との間隔が球の直径よりも狭いので、移送の途中で、球受凹部３４から転出することがない。
【００２７】
球受凹部３４が球受樋２９の上方に位置すると、球受凹部３４に嵌入していた球が球受樋２９内に落下し、誘導リブ２９ａによって基板２５の後方に誘導され、球出口から落下する。従って、回転体２２が正（右）回転するときは、小径部３３及び球受凹部３４の範囲が入賞可能な領域になるので入賞率が高い。
【００２８】
一方、（Ｆ）ないし（Ｉ）に示すように、回転体２２が逆（左）回転する場合には、小径部３３で支えられた球は、球入口２７内に留まりながら回転体２２のみが回転する。そして、回転体２２の平坦部３５が球を支える状態になると、この平坦部３５は大径部３２に向けて徐々に拡径しているので、この平坦部３５によって球が持ち上げられ、球入口２７に連なる開口部３１が存在するため支えを失って落下する。従って、逆（左）回転では入賞可能な領域が、球受凹部３４の領域のみとなるので入賞率が低い。
【００２９】
次に、上記のような構成の入賞装置１は、図８に示すフローチャートに従って制御することができる。尚、この実施例は所謂「権利物」と呼ばれるパチンコ機に適用した場合である。この制御系は、ステップ（以下、単にＳと略記する）１において権利中か否かを判別し、権利中ならばＳ２で正転速度１データ（右回転で５ｒｐｍ）をロードし、権利中でないならばＳ３で逆転速度２データ（左回転で２０ｒｐｍ）をロードする。そして、Ｓ４でモータデータをセットして駆動するが、正逆回転のモータスピードを同じにしてもよい。
【００３０】
このような制御系によれば、権利中と通常遊技中とで入賞率を変化させることができるばかりではなく、遊技者による狙い撃ちを防止することができる。尚、上記実施例で通常遊技のときの回転数を権利中のときの回転数よりも高くしてあるが、正・逆転のモータスピードを同じにしてもよい。
【００３１】
次に、上記のような構成の入賞装置１を用いたパチンコ機の一例を遊技に沿って図９のブロック図を参照しながら簡単に説明する。図１に示す遊技盤２を備えるパチンコ機は、所謂第３種パチンコ機（権利物）に属するものであって、権利状態のときに、本発明に係る入賞装置１によって構成した始動入賞口４０に入賞すると、規制された所定時間又は所定個数入賞するまでを１サイクルとして、規制された範囲内で大入賞口４１である変動入賞装置９を遊技者に有利な第２状態に変換することができる。
【００３２】
遊技盤２のほゞ中央の配設されたセンター役物５は、天入賞口４２及び天下入賞口４３を備え、上記天下入賞口４３は普通図柄表示装置作動ゲート４４が臨む凹室４５へ連通する。尚、上記天下入賞口４３へは、障害釘８が途切れる向って左側から入球する。上記凹室４５には、当該凹室４５へ流入した球を普通図柄表示装置作動ゲート４４と一般入賞口とに振り分ける回転振分板４６が人形を模して形成される。また、このセンター役物５の前面側には、普通図柄表示装置４７が横方向に列設したＬＥＤによって形成され、例えば、「１」から「８」迄の図柄を可視表示する。尚、この図柄は後述する識別情報となる。
【００３３】
大入賞口４１を構成する変動入賞装置９は、一対の可動翼片４８と大入賞口ソレノイド４９を備え、可動翼片４８を閉じて球が入賞できずに遊技者に不利な第１状態と、可動翼片４８を解放して球が入賞し易く遊技者に有利な第２状態とに変換可能である。
【００３４】
パチンコ機は、電源の投入によって遊技中の動作に対応して各表示灯等によりその時の状態を表示すると共に、効果音によって遊技者に知らせる。また、入賞装置１の回転体２２が左回り（図７において矢視Ｑ方向）に１回転約３秒の回転動作を開始する。また、センター役物５内の回転振分板４６が右回りに１回転約６秒の回転動作（１回転当り３秒の速度で約３／４回転、１回転当り１５秒の速度で約１／４回転）を開始する。
【００３５】
そして、天下入賞口４３に入球した球が第１特定領域５０である普通図柄表示装置作動ゲート４４を通過すると、図柄作動スイッチ５１が検出信号を識別情報表示制御手段５２へ送信する。識別情報表示制御手段５２は、上記検出信号に基づいて何れかの識別情報を選択し、該識別情報を識別情報表示装置５３（普通図柄表示装置４７）に所定時間変動表示させた後、選択された識別情報を識別情報表示装置５３に停止表示する。即ち、「１」から「８」迄の図柄を表示する。
【００３６】
識別情報表示装置５３に停止表示される識別情報のうち、「当り」に相当する特定識別情報は所定の確率で選択され、この確率は識別情報表示制御手段５２によって予め定めた条件に応じて変動する。識別情報表示装置５３には、停止表示された図柄の種別を判定する表示図柄判定回路５４が接続される。尚、表示図柄判定回路５４には、特定識別情報が格納されたメモリが設けてある。
【００３７】
そして、識別情報表示装置５３に停止表示された識別情報が表示図柄判定回路５４によって特定識別情報（当り）と判定された場合には、特別装置作動領域（特定入賞口１０）を備える普通電動役物１１を普通電動役物制御手段５５を介して解放する。尚、この特定識別情報と判定した判定信号は、後述する確率調節手段５６に入力される。
【００３８】
上記普通電動役物１１は、図示の実施例においては、球１個を特別装置作動領域１０の上部に一時停止可能であって、解放動作を終了した時点で放球する。この放球された球は、特別装置スイッチ５７によって検出され、特別装置５８が作動状態となって権利が発生する。特別装置５８が作動中のときは、特別装置作動表示灯５９を点灯或は点滅させて遊技者にその旨を可視表示する。
【００３９】
確率調節手段５６は、識別情報表示制御手段５２に接続され、特定識別情報が選択される確率を調節する。即ち、表示図柄判定回路５４が判定した識別情報が特定識別情報であり、且つ例えば表示図柄が「５」に相当する判定信号であるとき、確率調節手段５６は識別情報表示制御手段５２に確率制御信号を送信して、特定識別情報が選択される確率を高確率とする。即ち、特別装置５８の作動停止から、その後普通図柄表示装置４７が「当り図柄」（特定識別情報）を停止表示する確率が高確率に変動する。
【００４０】
また、高確率状態のとき、確率調節手段５６は、高確率状態表示灯６０を点灯或は点滅させてその旨を遊技者に可視表示する。
【００４１】
上記のようにして特別装置５８が作動状態にあるとき、即ち権利状態にあるときに、第２特定領域６１を備える始動入賞口４０に入球すると始動口スイッチ６２が作動し、駆動制御手段６３を介して大入賞口ソレノイド４９を駆動して、大入賞口４１である変動入賞装置９を所定時間又は所定数の入賞球があるまで解放する。尚、所定個数は、変動入賞装置９に設けた１０カウントスイッチ６４により計数すると共に、１０カウント表示灯６５により可視表示する。
【００４２】
そこで、上記始動入賞口４０を構成する本発明に係る入賞装置１の回転体２２をモータ制御回路６６を介して制御することにより入賞率を調節すれば、遊技者に極めて有利な特別遊技中であっても、遊技者と遊技店との利益バランスを図ったり、狙い撃ちを防止することができる。
【００４３】
図１０ないし図１４は、他の実施例による入賞装置１である。この実施例は、上記実施例と回転体２２の形状が異る。また、この実施例では、回転体２２の回転方向は一方に固定してあるが、回転速度を可変することによって、入賞率を制御するように構成してある。
【００４４】
そこで、この実施例における回転体２２は、外周面に大径部３２と、小径部３３と、球受凹部３４とを備えている。
【００４５】
大径部３２は、文字どおり中心からの距離が最も大きい部分であって、上記区画壁２６の内周面に臨む。この大径部３２の円周上の長さは、図示の実施例によれば、回転体２２の円周のほゞ半周を若干越えている。
【００４６】
上記大径部３２の回転方向の後端からは小径部３３が連設してある。この小径部３３は、上記大径部３２の後端から球の半径程度の円弧を描いて縮径し、回転中心からの距離が大径部３２の約半分程度の位置に短い円弧を描いている。また、小径部３３と区画壁２６との間は、前記実施例と同様に球１個分の長さよりも短い隙間を形成するように設定してある。従って、区画壁２６の内周面と小径部３３の外周面との間に球が入り込むことはできない。
【００４７】
上記小径部３３の回転方向の後端と、前記大径部３２の回転方向の前端との間には、球受凹部３４を形成する。この球受凹部３４は、外周面に向けて開口しており、球１個が嵌入する大きさに形成してある。従って、この球受凹部３４に嵌入した球は、回転体２２の回転に伴って、区画壁２６の内側を移動することができる。
【００４８】
上記のような構成の回転体２２は、駆動源としてのモータ３６に連結した回転軸２２ａを備えている。この回転軸２２ａは、前記実施例と同様に基板２５と裏カバー２４とによって回転自在に軸支されている。尚、取付枠体２１や裏カバー２４等の構成は、前記実施例と同様なので説明を省略する。
【００４９】
裏カバー２４の背面側には、駆動源としてモータ３６を取り付ける。このモータ３６は回転速度を制御可能な例えばステッピングモータにより構成する。
【００５０】
この実施例では、回転体２２の原点を検出するための原点検出手段が設けてある。原点検出手段は、図示の実施例では、回転軸２２ａの途中に形成したフォトシャッター３７と、取付枠体２１の背面枠３０内に収設したフォトスイッチ３８によって構成してある。尚、後述するように、この実施例では、図１３の（Ａ）に示す回転体２２の大径部３２の回転方向の先端部分が球入口２７に臨む位置を原点に設定している。
【００５１】
次に、上記のような入賞装置１の動作を説明する。回転体２２は、上記原点から図中の矢印方向（正回転）に所定の速度で回転を開始する。しかし、図１３の（Ａ）に示すように、大径部３２が球入口２７に臨んでいる状態では、この球入口２７を目指して流下した球は、大径部３２が球入口２７を塞いでいるので、当該球入口２７に流入できない。
【００５２】
そして、回転体２２が（Ｂ）に示す位置に進むと、即ち、小径部３３が球入口２７に臨んだ状態では、球入口２７を通過した球がこの小径部３３に支えられ、球のほゞ半分程度を区画壁２６の外側に突出させた状態で停留する。この状態で、後続して流下する球は、上記小径部３３に停留された球に邪魔されて左右に落下する。
【００５３】
停留された球は、回転体２２の回転に伴い球受凹部３４に移動して嵌入する。球受凹部３４に移動した球は、回転体２２の回転に伴って球受樋２９の上方に移送され、球受樋２９に放球される。そして、球受樋２９を後方に転動して球出口から排出される。尚、上記球受凹部３４は球１個分の大きさであるので、複数の球が球受凹部３４に嵌入することがなく、回転体２２が一回転する間に複数の球が球出口から排出されることがない。
【００５４】
上記のような構成の入賞装置１において、回転体２２が一定方向に一定速度で回転していたのでは、入賞率に変化はない。そこで、本実施例では、図１４の（Ａ）に示す位置から図（Ｂ）に示す位置まで、即ち大径部３２が球入口２７に臨む期間を低速回転に設定すると共に、（Ｂ）示す位置から（Ｃ）に示す位置まで、即ち小径部３３及び球受凹部３４が球入口２７に臨む期間を高速回転に設定してある。従って、この設定状態のときは、入賞率が低くなる。
【００５５】
一方、上記設定とは逆に、小径部３３及び球受凹部３４が球入口２７に臨む期間を低速回転に、大径部３２が球入口２７に臨む期間を高速回転に設定すれば、入賞率は高くなる。
【００５６】
そこで、通常の遊技状態のときは、入賞率が低い状態に設定し、権利中は入賞率が高くなるように設定すれば、遊技に変化をもたらすと共に、遊技店と遊技者の利益バランスを保つことができる。
【００５７】
上記のような制御を行うフローチャートを図１５に示す。このフローチャートでは、先ず、回転体２２に設けた原点検出手段によって当該回転体２２の原点位置を決定する。例えば、回転軸２２ａに設けたフォトシャッター３７によってフォトスイッチ３８（モータスイッチ）が図１４の（Ｄ）の状態（大径部３２が終る位置）でオンするように設定しておく。
【００５８】
そして、モータ処理では、ステップ（以下、単にＳと略す）１で、後述するカウンタ（ＭＴＣＮＴ）を減算し、Ｓ２で上記ＭＴＣＮＴが「０」か否かを判別する。ＭＴＣＮＴが「０」でないときは、Ｓ３へ進んで権利中（特別装置が作動中）か否かを判別する。一方、Ｓ２でＭＴＣＮＴが「０」のときは、Ｓ４へ進んで権利中か否かを判別する。
【００５９】
Ｓ３で権利中のときは、Ｓ５で速度１データ（例えば２ｒｐｍ）をロードする。また、Ｓ３で権利中でないときは、Ｓ６で速度２データ（例えば２０ｒｐｍ）をロードする。一方、Ｓ４で権利中のときは、Ｓ６で速度２データ（２０ｒｐｍ）をロードし、Ｓ４で権利中でないときは、Ｓ５で速度１データ（２ｒｐｍ）をロードする。
【００６０】
そして、Ｓ７では、モータデータをセットして駆動し、Ｓ８でフォトスイッチ３８のオンオフを判別する。このＳ８で、モータスイッチがオンしているとき、即ち図１４において（Ｄ）の状態ならば、Ｓ９に進んでＭＴＣＮＴに角度データ（当りの範囲）をセットした後に復帰する。一方、Ｓ８でモータスイッチがオンしていないときは直接復帰する。
【００６１】
上記のような制御によれば、権利中で、且つ図１４の（Ｄ）から（Ｅ）迄、即ちＭＴＣＮＴが「０」でないときは、速度１データに基づいて２ｒｐｍで回転し、図１４の（Ｅ）から（Ｆ）迄のＭＴＣＮＴが「０」のときは高速な速度データ２に基づいて２０ｒｐｍで回転する。従って、球受凹部３４に入球する確率が高い。そこで、例えば始動スイッチに設定した検出スイッチがオンして、大入賞口が解放する確率が高くなる。
【００６２】
一方、通常の状態では、図１４の（Ａ）から（Ｂ）までは速度１データに基づく２ｒｐｍで回転し、（Ｂ）から（Ｃ）までは速度２データに基づく２０ｒｐｍで回転する。従って、球受凹部３４に入球する確率が低く、大入賞口が開放する確率が低くなる。
【００６３】
上記した二つの実施例では、区画壁２６と前カバー２３との間に開口部３１（切欠溝）を形成することにより、大径部３２が球入口２７に臨む状態のときに、球が落下するように構成してある。しかし、これは図１６に示すように、回転体２２の前縁にリブ３９を形成することによっても達成できる。即ち、回転体２２の大径部３２に対応する位置に、当該大径部３２から突出するリブ３９を突設し、このリブを図１６に示すように、区画壁２６から若干突出させるのである。尚、回転体２２の他の構成は前記した実施例と同様の構成である。
【００６４】
このような形状の回転体２２を備える入賞装置１にあっては、リブ３９を突設した部分、即ち大径部３２にあっては、リブ３９によって球入口２７に嵌入することができず、球は左右に落下してしまう（二点鎖線の状態）。
【００６５】
上記した各実施例のように、本発明に係る入賞装置１を第３種パチンコ機に適用した場合は、次のような効果を得ることができる。
▲１▼  通常遊技のときに入賞率の低い動作パターンに設定できるので、通常遊技のときに、賞球をあまり排出しないですみ、遊技店と遊技者の利益バランスを図ることができる。
▲２▼  権利発生時に、入賞率の高い動作パターンに設定でき、回転体２２を１０ないし１２秒のサイクルで作動させることで、第３種パチンコ機における大入賞口の開放時間の最大値１０秒と連動可能であるため、無駄のないスピーディーな遊技が可能である。
▲３▼  第３種始動口を遊技盤面の右側に配設する必要がなくなるため、権利発生時に遊技盤２の右側を狙って発射する所謂右打ちする煩わしさがなくなる。そして、遊技を理解していない初心者であっても、「打ち分け」を行う必要がないので、充分な利益を獲得することができ、公平な遊技が可能である。
▲４▼  回転体２２の回転方向によって入賞率を制御するときは、フォトスイッチ３８等の検出手段が不要であるので、コスト減に有効である。
▲５▼  回転体２２が一回転する間に入賞する球は１個に限られるのでダブリがなく、大入賞口が開放する回数が減って、不利益を被ることがない。
【００６６】
図１７ないし図１８は、複数の識別情報を可変表示可能な可変表示装置７０と、遊技者に不利な第１状態から遊技者に有利な第２状態に変換可能な扉板７１Ａを設けた可変入賞球装置７１と、上記可変表示装置７０を作動する始動入賞口７２とを備えるパチンコ機７３において、上記始動入賞口７２を本発明に係る入賞装置１によって構成した実施例を示すものである。
【００６７】
遊技者が発射した打球が、始動入賞口７２に入球して始動スイッチ７４が作動すると、始動信号が始動記憶装置７５に送出されると共に、図柄用乱数選択装置７６に送出される。この図柄用乱数選択装置７６には、図柄用乱数作成装置７７から図柄用乱数信号が入力される。
【００６８】
図柄表示制御装置７８は、始動記憶装置７５からの始動記憶信号に基づいて可変表示装置７０の変動表示及び停止表示を制御すると共に、図柄判定装置７９に図柄識別信号を送出する。そして、図柄判定装置７９は、図柄識別信号が予め定めた当り図柄に対応するとき（当り）は、大役制御装置８０に大役信号を送出する。また、図柄判定装置７９は、「当り」、「外れ」に拘らず、１回判定する毎に、始動記憶装置７５の記憶値を１減算する始動記憶減算信号を送出する。
【００６９】
大役制御装置８０は、可変入賞装置７１に設けた１０カウントスイッチ８１及び開放タイマー８２の各信号に基づいて、可変入賞球装置７１（大入賞口４１）を所定回数または所定時間開放し、可変入賞球装置７１の継続入賞口７１Ｂに設けた継続球検出スイッチ８３の継続信号に基づいて、開放状態を規制の範囲内で継続する。また、この大役制御装置８０は、大入賞口開放表示灯８４によって、可変入賞球装置７１の開放状態を遊技者に可視表示する。
【００７０】
上記のようなパチンコ機７３において始動入賞口７２は、駆動源であるモータを制御することにより入賞率を可変可能な本発明に係る入賞装置１で構成してある。そこで、当該入賞装置１を制御して様々な態様のパチンコ遊技が可能となる。
【００７１】
例えば、モータ３６を制御するためのモータ制御装置８５を、大役制御装置８０からの大当り終了信号▲１▼に基づいて次の大当りになる迄、入賞率が向上するように制御することができる。このような制御によれば、始動スイッチ７４がオンし易くなって可変表示装置７０が良く回るので、結局、可変入賞球装置７１が続けて大当りと成るチャンスが高く、遊技の興趣が著しく向上する。
【００７２】
また、図柄判定装置７９による大当りの特定図柄の成立信号▲２▼に基づいて、入賞率が向上するようにモータ制御装置８５を介してモータ３６を制御すれば、始動入賞口７２の入賞率が向上して、始動スイッチ７４がオンし易くなって可変表示装置７０が良く回る。従って、可変入賞球装置７１が開放する確率が高くなって、遊技の興趣が著しく向上する。
【００７３】
一方、図柄判定装置７９による外れ図柄成立信号▲２▼′に基づいて、入賞率が向上するようにモータ制御装置８５を介してモータ３６を制御すれば、外れた次は、始動入賞装置１の入賞率が向上して、始動スイッチ７４がオンし易くなって可変表示装置７０が良く回り、可変入賞球装置７１が大当りに成るチャンスが巡ってくる。
【００７４】
更に、図柄判定装置７９による外れ図柄成立信号▲３▼を外れ図柄回数カウンタ８６によって計数し、この外れ図柄回数信号に基づいて、入賞率が向上するようにモータ制御装置８５を介してモータ３６を制御すれば、外れが続いた場合に始動入賞口７２の入賞率が向上して、始動スイッチ７４がオンし易くなって可変表示装置７０が良く回り、可変入賞球装置７１が大当りに成るチャンスが高まる。従って、大当りが出現する確率が平均化され、公平な遊技が可能になる。また、継続入賞口７１Ｂに入賞装置１を設けて、継続回数に応じてモータ制御装置８５を作動させてもよい。これにより検出スイッチ３４が継続球検出スイッチ８３に該当し、継続入賞口７１Ｂの入賞確率の制御が容易に変更できる。
【００７５】
尚、前記した始動記憶装置７５における始動入賞記憶値は、始動入賞記憶数表示装置８７によって可視表示するとよい。
【００７６】
図１９ないし図２０は、始動入賞口へ入球した打球を検出して始動入賞信号を発生する始動入賞信号発生手段９０と、遊技者に不利な第１状態と遊技者に有利な第２状態とに変換可能であって、一般入賞口９１と継続入賞口９２とを備える中央可変入賞装置９３等とを備えるパチンコ機において、本発明に係る入賞装置１を始動入賞信号発生手段９０に適用した実施例を示すものである。
【００７７】
始動スイッチ９４である検出スイッチを球が通過すると、始動スイッチ検出回路９５がこの球を検出して始動入賞信号を小当り開閉制御回路９６に送信する。小当り開閉制御回路９６は、中央可変入賞装置９３の可動球受部材９７の駆動源である駆動ソレノイド９８を駆動すると共に、大当り制御回路１０３に信号を送る。これにより可動球受部材９７は１ないし２回の開閉を行う。
【００７８】
上記駆動ソレノイド９８の駆動中に、特別スイッチ１００を有する継続入賞口９２へ球が入球すると、特別スイッチ検出回路１０１がこの球を検出して、特別入賞球信号を継続制御回路１０２に送信する。継続制御回路１０２は、大当り開閉制御回路１０３を介して上記駆動ソレノイド９８を駆動する。これにより、可動球受部材９７は１８回の開閉を繰り返す。そして、大当り開閉制御回路１０３は可動球受部材９７の１８回開閉終了信号を継続制御回路１０２に入力する。これにより、特別スイッチ１００がオンされず、又１０カウントスイッチ１０５で１０ヶの球が検出されずに１８回の開閉を行うとゲ−ムは終了する。また、最終回（１６回目の継続）のゲ−ムでは特別スイッチ１００は無効となり、１０カウント又は１８回開閉のいずれかで終了する。尚、継続制御回路１０２は、継続表示器１０４を駆動して現在何回目の継続遊技を実行中かを当該継続表示器１０４に可視表示する。
【００７９】
また、中央可変入賞装置９３に入球した球が１０カウントスイッチ１０５に作用すると、１０カウントスイッチ検出回路１０６がカウント信号をカウンター１０７に送信し、該カウンター１０７は継続制御回路１０２に１０カウント信号を送信すると共に、１０カウント表示器１０８に入球数を可視表示する。
【００８０】
そして、上記のようなパチンコ機において、始動スイッチ９４が臨む始動入賞口９０は、本発明に係る入賞装置１によって構成してある。従って、この入賞装置１の入賞率を可変して様々な態様のパチンコ遊技が可能となる。
【００８１】
例えば、大当りが終了（１６回継続）したときの、大当り開閉制御回路１０３からの終了信号を継続制御回路１０２に入力し、この継続制御回路１０２の出力に基づいてタイマー回路１０９を作動させる。このタイマー回路１０９によって所定時間、モータ制御回路１１０を介してモータ３６を制御し、遊技者に有利なように入賞率を高めることができる。
【００８２】
このようにすれば、大当りが終了した後に、再び大当りを生起させることが可能になり、パチンコ遊技の興趣が著しく向上する。
【００８３】
また、遊技者が操作するハンドルにハンドル制御回路１１１を設け、該ハンドル制御回路１１１と始動入賞カウンタ１１２との間にタイマー回路１１３を介在させる。また、前記した始動スイッチ検出回路９５の検出出力を始動入賞カウンタ１１２に入力する。そして、ハンドルを操作して所定時間が経過する間（例えば３分以内）に始動入賞カウンタ１１２が所定数以下或は入賞が全く無い場合に、所定時間の間、入賞し易い状態に回転体２２を回転制御することができる。
【００８４】
このような実施例によれば、なかなか始動入賞口である入賞装置１へ入賞できなくても、所定時間が経過すると、入賞率が高くなるので、遊技技術が未熟な初心者等であっても、適宜遊技を楽しむことができ、公平な遊技が可能になる。また、継続入賞口９２に入賞装置１を設けて、継続回数や可動球受部材９７の開閉回数に応じてモータ制御回路１１０を制御するようにしてもよい。これにより、特別スイッチ１００が検出スイッチに該当し、継続入賞口９２への入賞確率の制御が容易に変更できる。
【００８５】
以上本発明を図面の実施例について説明したが、本発明は上記した実施例に限定されるものではなく、特許請求の範囲に記載した構成を変更しない限り適宜に実施できる。例えば、回転体や球受凹部はどのような構造であってもよい。また、前記した実施例は、回転体の回転方向又は回転速度を制御して入賞率を可変しているが、回転体の回転方向及び回転速度を制御して入賞率を可変するように構成してもよい。
【００８６】
【発明の効果】
以上要するに本発明は、遊技盤に取り付けるための基板を有して、この基板の前面側に区画壁を一体に延設した取付枠体と、上記取付枠体に回転自在に軸着されると共に、球を受入可能な球受凹部、球を停留可能とする小径部、及び球を停留不能とする大径部、を有する回転体と、上記回転体を制御手段の制御下に回転駆動する駆動源と、遊技盤を流下する球を上記回転体の球受凹部へ取り込むための球入口と、上記回転体の球受凹部に取り込んだ球を検出スイッチが臨む球連絡路へ排出する入賞球口と、を備え、大径部は区画壁の内周面に臨み、該大径部の円周上の長さを球の直径分の長さに設定し、小径部は大径部よりも回転体の中心からの距離が短く、区画壁との間に球１個分の長さ距離よりも短い隙間を形成するように設定し、大径部の一端から平坦部を介して縮径されることによって小径部が連なり、小径部の他端と大径部の一端との間には、外周面に向けて球１個が嵌入する大きさに開口する球受凹部を形成し、この球受凹部に嵌入した球は回転体の回転に伴って区画壁の内側に移動し、球入口において球が回転体の大径部に接して取付枠体の内部に嵌入できない停留不能状態と、球入口において球が回転体の小径部に接して取付枠体の内部に嵌入し、球の一部を区画壁の上方に突出させている停留可能状態と、球入口において球が球受凹部に嵌入した取込可能状態の何れかの状態となしたので、構成が簡単で小型な入賞装置を提供すると共に、入賞口の形態を変化させることなく、種々の態様で入賞率を可変することができ、多種多様な遊技が可能になる。しかも、遊技の興趣が著しく高いと共に、遊技者と遊技店との利益バランスを図ることも容易であって、実用的価値が極めて高い。
また、通常遊技のときに入賞率の低い動作パターンに設定できるので、通常遊技のときに、賞球をあまり払い出さないですむ。一方、入賞率の高い動作パターンにも設定でき、他の入賞装置等と連動可能であるため、無駄のないスピーディーな遊技が可能である。
更に、遊技盤面上の配置位置に制約を受けないので自由な配置が可能であると共に、遊技者は「打ち分け」を行う必要がないので充分な利益を獲得することができ、公平な遊技が可能である。
【図面の簡単な説明】
【図１】本発明に係る入賞装置を配設した遊技盤の正面図である。
【図２】本発明に係る入賞装置の一実施例の正面図である。
【図３】本発明に係る入賞装置の一実施例の背面図である。
【図４】本発明に係る入賞装置の一実施例の縦断面図である。
【図５】本発明に係る入賞装置の一実施例の平面図である。
【図６】本発明に係る入賞装置の一実施例の部品構成図である。
【図７】本発明に係る入賞装置の一実施例の動作説明図である。
【図８】本発明に係る入賞装置の一実施例の制御系のフローチャートである。
【図９】本発明に係る入賞装置の一実施例の制御系のブロック図である。
【図１０】本発明に係る入賞装置の他の一実施例の正面図である。
【図１１】本発明に係る入賞装置の他の一実施例の縦断面図である。
【図１２】本発明に係る入賞装置の他の一実施例の部品構成図である。
【図１３】本発明に係る入賞装置の他の一実施例の動作説明図である。
【図１４】本発明に係る入賞装置の他の一実施例の動作説明図である。
【図１５】本発明に係る入賞装置の他の一実施例の制御系のフローチャートである。
【図１６】本発明に係る入賞装置の更に他の一実施例を示し、（Ａ）は正面図、（Ｂ）は断面図、（Ｃ）は回転体の斜視図である。
【図１７】本発明に係る入賞装置を配設したパチンコ機の正面図である。
【図１８】本発明に係る入賞装置を配設したパチンコ機の制御系のブロック図である。
【図１９】本発明に係る入賞装置を配設した遊技盤の正面図である。
【図２０】本発明に係る入賞装置を配設した遊技盤の制御系のブロック図である。
【符号の説明】
１  入賞装置
２  遊技盤
２１  取付枠体
２２  回転体
２７  球入口
３２  大径部
３３  小径部
３４  球受凹部
【図１】
0003753446.tif 000002
【図２】
0003753446.tif 000003
【図３】
0003753446.tif 000004
【図４】
0003753446.tif 000005
【図５】
0003753446.tif 000006
【図６】
0003753446.tif 000007
【図７】
0003753446.tif 000008
【図８】
0003753446.tif 000009
【図９】
0003753446.tif 000010
【図１０】
0003753446.tif 000011
【図１１】
0003753446.tif 000012
【図１２】
0003753446.tif 000013
【図１３】
0003753446.tif 000014
【図１４】
0003753446.tif 000015
【図１５】
0003753446.tif 000016
【図１６】
0003753446.tif 000017
【図１７】
0003753446.tif 000018
【図１８】
0003753446.tif 000019
【図１９】
0003753446.tif 000020
【図２０】
0003753446.tif 000021